(57)【要約】【課題】  映像音声信号再生装置と、これに接続する親機装置および親機装置に無線接続する複数の子機装置を含む無線信号送受信装置と、を含んで構成される映像音声再生システムに関し、特に、複数のゾーンに配置される子機装置からの操作入力に対して適切に動作する映像音声再生システムを提供する。【解決手段】  無線信号送受信装置の親機装置は、親機装置を制御する制御部と、入出力信号端子組に対応する無線伝送チャンネル並びに子機装置の個別識別番号を記憶する親機接続情報に基づいて子機装置との間でそれぞれ無線伝送する信号伝送部と、映像音声信号再生装置と掛かり付け情報を含む制御信号を通信する制御信号通信部と、掛かり付け情報並びに親機接続情報を参照して無線伝送チャンネルに含まれる子機装置からの制御信号を変換して制御信号通信部に出力する制御信号変換部と、を少なくとも備える。【選択図】  図１
2016076898.tif 000002
【特許請求の範囲】
【請求項１】
複数の入出力信号端子組を備える映像音声信号再生装置と、複数の入出力信号端子組を備えて該映像音声信号再生装置に接続する親機装置および該親機装置に無線接続する複数の子機装置を含む無線信号送受信装置と、を備える映像音声再生システムであって、
該映像音声信号再生装置が、それぞれの該入出力信号端子組に対応する再生ゾーン並びに該無線信号送受信装置の無線伝送チャンネルを記憶する掛かり付け情報に基づいて該映像音声信号再生装置を制御する制御部と、該親機装置と該掛かり付け情報を含む制御信号を通信する制御信号通信部と、該入出力信号端子組に映像信号および／または音声信号を入力および／または出力する信号入出力部と、を少なくとも備え、
該無線信号送受信装置の該親機装置が、該親機装置を制御する制御部と、該入出力信号端子組に対応する該無線伝送チャンネル並びに該子機装置の個別識別番号を記憶する親機接続情報に基づいて該子機装置との間でそれぞれ無線伝送する信号伝送部と、該映像音声信号再生装置と該掛かり付け情報を含む制御信号を通信する制御信号通信部と、該掛かり付け情報並びに該親機接続情報を参照して該無線伝送チャンネルに含まれる該子機装置からの制御信号を変換して該制御信号通信部に出力する制御信号変換部と、を少なくとも備え、
該無線信号送受信装置の該子機装置が、該子機装置を制御する制御部と、該無線伝送チャンネルにより該親機装置との間で無線伝送する信号伝送部と、該信号伝送部と接続して映像信号および／または音声信号を映像および／または音声に変換する信号変換部と、該子機装置への操作入力または遠隔操作入力を該制御部を介して該信号伝送部に入力する操作入力部と、を少なくとも備え、
それぞれの該再生ゾーンに位置する該子機装置への該操作入力または該遠隔操作入力により、それぞれの該子機装置での映像音声再生を制御可能にする、
映像音声再生システム。
【請求項２】
前記無線信号送受信装置の前記親機装置の前記制御信号変換部が、異なる前記再生ゾーン毎に複数の前記操作入力または前記遠隔操作入力に応じて異なる制御信号を算出する、
請求項１に記載の映像音声再生システム。
【請求項３】
前記無線信号送受信装置が、前記子機装置に前記遠隔操作入力を与える遠隔操作入力装置をさらに備える、
請求項１または２に記載の映像音声再生システム。
【請求項４】
請求項１から３のいずれかに記載の映像音声再生システムにおける前記映像音声信号再生装置。
【請求項５】
請求項１から３のいずれかに記載の映像音声再生システムにおける前記無線信号送受信装置。
【発明の詳細な説明】
【技術分野】
【０００１】
本発明は、映像音声信号再生装置と、映像音声信号再生装置に接続する親機装置および親機装置に無線接続する複数の子機装置を含む無線信号送受信装置と、を含んで構成される映像音声再生システムに関し、特に、映像音声信号再生装置が複数の入出力信号端子組を備え、無線信号送受信装置の子機装置が、複数のゾーンに配置され得る映像音声再生システムに関する。
【背景技術】
【０００２】
ＣＤプレイヤー、等の音響再生装置、または、ＨＤＤビデオレコーダー、あるいは、ＤＶＤプレイヤー、等の映像記録再生装置、などを含むコンテンツ再生装置は、複数の入出力信号端子組を備えるＡＶアンプ装置などに接続されて、映像音声再生システムを構成するようにして使用される。ＡＶアンプ装置は、複数のコンテンツ再生装置からの入力信号を切り換える入力セレクタを備えており、ユーザー操作によりセレクタを切り換えることで、例えば、スピーカーあるいはヘッドホンから音声出力すべき音声信号を供給するコンテンツ再生装置を選択することができる。また、同様に、ＡＶアンプ装置は、接続する他の映像音響機器に出力する映像音声信号を切り換える出力セレクタを備えている。
【０００３】
例えば、ＡＶアンプ装置に接続する映像音声機器は、ＡＶアンプ装置に対してコネクタを介して外付けされるモジュールであって、ＡＶアンプ装置の機能を増強するオプションユニットである場合がある（特許文献１）。
【０００４】
さらに、ＡＶアンプ装置は、複数ゾーンへの映像出力、音声のスピーカー出力またはプリアウト出力の機能を備える場合がある。つまり、ＡＶアンプ装置は、専らＡＶアンプ装置自身が設置されるメインゾーンに設置される他の映像音声機器にだけでなく、複数の他のゾーンに設置される他の映像音声機器と接続して、映像音声再生することがある。したがって、他のゾーンからメインゾーンに位置するＡＶアンプ装置を操作するには、そのゾーンに設置された他の映像音声機器を介して制御信号を通信させる場合がある。
【０００５】
例えば、従来には、マルチゾーン用ＡＶシステムにおいて、ボリューム機能、インプット切換機能等の各機能に対して各ゾーンで同時に操作を行うことのできるマルチゾーン用ＡＶシステムの機能制御装置がある（特許文献２）。
【０００６】
一方、ＡＶアンプ装置は、コンテンツ再生装置ならびに他のゾーンに設置される他の映像音声機器とのシステム連動動作を可能にするように、制御信号を送受信する制御線で接続されている。制御線は、映像／音声信号を伝送する信号線と一体になっているＨＤＭＩ（登録商標）（High-Definition Multimedia Interface）等の場合の他に、独立した信号線で接続する場合、あるいは、無線通信で相互に接続されている場合、等を含む。ＡＶアンプ装置は、操作パネルの入力ボタンを含む入力インターフェイスによる操作入力の他に、リモコン信号による操作入力を受けて、コンテンツ再生装置ならびに他のゾーンに設置される他の映像音声機器に制御信号を送信することが可能である。
【０００７】
特に、ＡＶアンプ装置に接続する他の映像音声機器が、親機装置および親機装置に無線接続する複数の子機装置を含む無線信号送受信装置である場合には、その無線信号送受信装置並びに子機装置に何れのゾーンに対応する制御信号が割り当てられているのかを、ＡＶアンプ装置が区別する必要があるという問題がある。無線信号送受信装置の子機装置に操作入力がなされても、ＡＶアンプ装置は、親機装置と子機装置との間の通信制御信号を知り得ない場合があることに加えて、ＡＶアンプ装置と無線信号送受信装置との間の制御信号は、各ゾーンに対応するのに別々の制御信号に区別されているのが好ましい場合があるからである。また、無線信号送受信装置の親機装置と複数の子機装置とは無線接続するので、子機装置が何れのゾーンに配置されているかにより、適切な制御動作が異なるからである。
【０００８】
【特許文献１】特許第４７１９８３４号公報
【特許文献２】特許第３９９６４１３号公報
【発明の概要】
【発明が解決しようとする課題】
【０００９】
本発明は、上記の従来技術が有する問題を解決するためになされたものであり、その目的は、映像音声信号再生装置と、映像音声信号再生装置に接続する親機装置および親機装置に無線接続する複数の子機装置を含む無線信号送受信装置と、を含んで構成される映像音声再生システムに関し、特に、複数のゾーンに配置される子機装置からの操作入力に対して適切に動作する映像音声信号再生装置および映像音声再生システムを提供することにある。
【課題を解決するための手段】
【００１０】
本発明の映像音声再生システムは、複数の入出力信号端子組を備える映像音声信号再生装置と、複数の入出力信号端子組を備えて映像音声信号再生装置に接続する親機装置および親機装置に無線接続する複数の子機装置を含む無線信号送受信装置と、を備える映像音声再生システムであって、映像音声信号再生装置が、それぞれの入出力信号端子組に対応する再生ゾーン並びに無線信号送受信装置の無線伝送チャンネルを記憶する掛かり付け情報に基づいて映像音声信号再生装置を制御する制御部と、親機装置と掛かり付け情報を含む制御信号を通信する制御信号通信部と、入出力信号端子組に映像信号および／または音声信号を入力および／または出力する信号入出力部と、を少なくとも備え、無線信号送受信装置の親機装置が、親機装置を制御する制御部と、入出力信号端子組に対応する無線伝送チャンネル並びに子機装置の個別識別番号を記憶する親機接続情報に基づいて子機装置との間でそれぞれ無線伝送する信号伝送部と、映像音声信号再生装置と掛かり付け情報を含む制御信号を通信する制御信号通信部と、掛かり付け情報並びに親機接続情報を参照して無線伝送チャンネルに含まれる子機装置からの制御信号を変換して制御信号通信部に出力する制御信号変換部と、を少なくとも備え、無線信号送受信装置の子機装置が、子機装置を制御する制御部と、無線伝送チャンネルにより親機装置との間で無線伝送する信号伝送部と、信号伝送部と接続して映像信号および／または音声信号を映像および／または音声に変換する信号変換部と、子機装置への操作入力または遠隔操作入力を制御部を介して信号伝送部に入力する操作入力部と、を少なくとも備え、それぞれの再生ゾーンに位置する子機装置への操作入力または遠隔操作入力により、それぞれの子機装置での映像音声再生を制御可能にする。
【００１１】
好ましくは、本発明の映像音声再生システムは、無線信号送受信装置の親機装置の制御信号変換部が、異なる再生ゾーン毎に複数の操作入力または遠隔操作入力に応じて異なる制御信号を算出する。
【００１２】
また、好ましくは、本発明の映像音声再生システムは、無線信号送受信装置が、子機装置に遠隔操作入力を与える遠隔操作入力装置をさらに備える。
【００１３】
また、好ましくは、本発明の映像音声再生装置は、上記の映像音声再生システムにおける映像音声再生装置である。
【００１４】
また、好ましくは、本発明の無線信号送受信装置は、上記の映像音声再生システムにおける無線信号送受信装置である。
【００１５】
以下、本発明の作用について説明する。
【００１６】
本発明の映像音声再生システムは、複数の入出力信号端子組を備える映像音声信号再生装置と、複数の入出力信号端子組を備えて映像音声信号再生装置に接続する親機装置および親機装置に無線接続する複数の子機装置を含む無線信号送受信装置と、を備える。映像音声信号再生装置は、それぞれの入出力信号端子組に対応する再生ゾーン並びに無線信号送受信装置の無線伝送チャンネルを記憶する掛かり付け情報に基づいて映像音声信号再生装置を制御する制御部と、親機装置と掛かり付け情報を含む制御信号を通信する制御信号通信部と、入出力信号端子組に映像信号および／または音声信号を入力および／または出力する信号入出力部と、を少なくとも備える。
【００１７】
また、無線信号送受信装置の親機装置は、親機装置を制御する制御部と、入出力信号端子組に対応する無線伝送チャンネル並びに子機装置の個別識別番号を記憶する親機接続情報に基づいて子機装置との間でそれぞれ無線伝送する信号伝送部と、映像音声信号再生装置と掛かり付け情報を含む制御信号を通信する制御信号通信部と、掛かり付け情報並びに親機接続情報を参照して無線伝送チャンネルに含まれる子機装置からの制御信号を変換して制御信号通信部に出力する制御信号変換部と、を少なくとも備える。
【００１８】
一方、無線信号送受信装置の子機装置は、子機装置を制御する制御部と、無線伝送チャンネルにより親機装置との間で無線伝送する信号伝送部と、信号伝送部と接続して映像信号および／または音声信号を映像および／または音声に変換する信号変換部と、子機装置への操作入力または遠隔操作入力を制御部を介して信号伝送部に入力する操作入力部と、を少なくとも備える。
【００１９】
掛かり付け情報は、映像音声再生装置のそれぞれの入出力信号端子組に対応する再生ゾーン並びに無線信号送受信装置の無線伝送チャンネルを記憶する。したがって、本発明の映像音声再生システムは、それぞれの再生ゾーンに位置する子機装置への操作入力または遠隔操作入力により、それぞれの子機装置での映像音声再生を制御可能にして、かつ、他の再生ゾーンの子機装置に操作入力または遠隔操作入力を反映させないようにすることができる。また、掛かり付け情報を、映像音声再生装置の種類、形式等に対応して異なるように設定することが可能になれば、複数の映像音声再生装置に対応可能な共通のオプションユニットとして設計できるという利点がある。
【００２０】
映像音声再生システムは、無線信号送受信装置の親機装置の制御信号変換部が、異なる再生ゾーン毎に複数の操作入力または遠隔操作入力に応じて異なる制御信号を算出するようにすればよい。親機装置の制御信号変換部は、上記のように異なる制御信号を算出するのに適した変換テーブルを備えてもよい。
【００２１】
また、本発明の映像音声再生システムでは、無線信号送受信装置が、子機装置に遠隔操作入力を与える遠隔操作入力装置をさらに備えていてもよい。遠隔操作入力装置は、電波による無線通信であってもよいが、赤外線通信であれば再生ゾーンに位置する子機装置への操作入力が明確になり、他の再生ゾーンの子機装置に操作入力または遠隔操作入力を反映しないようになり、誤動作を防止することができる利点がある。
【発明の効果】
【００２２】
本発明の映像音声再生システムは、複数のゾーンに配置される子機装置からの操作入力に対して適切に動作する映像音声再生システム、映像音声信号再生装置および無線信号送受信装置を実現することができる。
【図面の簡単な説明】
【００２３】
【図１】本発明の好ましい実施形態による映像音声再生システム１について説明する図である。（実施例１）
【図２】本発明の好ましい実施形態による映像音声再生システム１について説明する図および表である。（実施例１）
【図３】本発明の好ましい実施形態による映像音声再生システム１の制御動作を説明するフローチャートである。（実施例１）
【図４】本発明の好ましい実施形態による映像音声再生システム１の制御動作を説明するフローチャートである。（実施例１）
【発明を実施するための形態】
【００２４】
以下、本発明の好ましい実施形態による映像音声再生システムおよびこれを構成する映像音声信号再生装置および無線信号送受信装置について説明するが、本発明はこれらの実施形態には限定されない。
【実施例１】
【００２５】
図１は、本発明の好ましい実施形態による映像音声再生システム１について説明するブロック図である。映像音声再生システム１は、複数の映像音声再生装置を含み、具体的には、ＡＶアンプ１０と、ＡＶアンプ１０に接続するオプションユニット２０を少なくとも含む。映像音声再生システム１は、ＡＶアンプ１０の他に、ＡＶアンプ１０に接続する（図示しない）コンテンツ再生装置であるＣＤプレイヤー、またはＤＶＤプレイヤー、音声を再生するスピーカーシステム、映像を映すディスプレイ、等を含んでいてもよい。なお、説明に不要な一部の構成や、内部構造等は、図示ならびに説明を省略している。
【００２６】
ＡＶアンプ１０のオプションユニット２０は、ＡＶアンプ１０に対して有線接続により外付けされるモジュールであって、ＡＶアンプ１０の機能を増強する。オプションユニット２０は、例えば、デジタルオーディオプレーヤ（ＤＡＰ）を着脱可能なドック装置やＴＶチューナー装置、ラジオチューナー装置、ＤＶＤプレイヤー装置、ＣＤプレイヤー装置、ＨＤＤプレイヤー、ワイヤレスユニット、等である。これらの複数のオプションユニット２０は、ＡＶアンプ１０にデイジーチェーン接続することができる。このようなデイジーチェーン接続を行う場合、ＡＶアンプ１０は複数のオプションユニットのうち、制御対象となるいずれかのオプションユニットと通信して、その動作を制御することができる。
【００２７】
ＡＶアンプ１０は、（図示しない）ＣＤプレイヤーまたはＤＶＤプレイヤー等、また、オプションユニット２０に接続する複数の入出力信号端子を備える。ＡＶアンプ１０の入出力信号端子は、アナログ音声信号、デジタル音声信号、アナログ映像信号、デジタル映像信号、デジタル制御信号、等を、一通りの組にして複数の入出力信号の組から接続するコンテンツ装置等を切り替えられるように構成されている。例えば、左右アナログ音声信号およびアナログ映像信号の組は３つのピン端子により構成され、デジタル音声信号とデジタル映像信号およびデジタル制御信号の組は、ＨＤＭＩ端子により一体に構成されている。
【００２８】
同様に、ＡＶアンプ１０のオプションユニット２０が接続する端子１１は、入力デジタル音声信号、出力デジタル音声信号、制御信号、（図示しない）電源線、等が入出力される複数の端子から構成される。端子１１には、ＡＶアンプ１０の音声信号入出力部および制御信号通信部が接続される。ＡＶアンプ１０の制御部は、音声信号入出力部ならびに制御信号通信部を制御する。音声信号入出力部ならびに制御信号通信部は、ＤＳＰまたはＣＰＵ、あるいは、必要な電子回路により構成され、制御部は、代表的にはＣＰＵが用いられる。
【００２９】
本実施例におけるオプションユニット２０は、音声信号および制御信号を親機２１と子機２２、２３、または２４との間で無線通信するワイヤレスオプション装置である。例えば、ＡＶアンプ１０が再生する音声信号を親機２１から子機２２、２３、または２４へ無線送信して、離れた位置にある子機２２、２３、または２４から音声再生するワイヤレススピーカーシステムを構成することができる。また、子機２２、２３、または２４に音声信号を入力すると、親機２１に音声信号を無線送信して、親機２１を介してＡＶアンプ１０に入力することができる。
【００３０】
ワイヤレスオプション装置２０の親機２１は、複数の端子を含む端子２５を介してＡＶアンプ１０と接続される。端子２５は、入力デジタル音声信号、出力デジタル音声信号、制御信号、（図示しない）電源線、等が入出力される複数の端子から構成される。端子２５には、親機２１の音声信号通信部および制御信号通信部が接続され、音声信号通信部および制御信号通信部は、子機２２、２３、または２４との間でそれぞれ無線伝送する信号伝送部と接続する。ＣＰＵで構成される親機２１の制御部は、後述する制御信号変換部と、音声信号通信部ならびに制御信号通信部と、信号伝送部とを制御する。
【００３１】
ワイヤレスオプション装置２０の子機２２、２３、または２４は、複数の無線信号チャンネルを介して親機２１と無線接続される。子機２２、２３、または２４のＣＰＵで構成される制御部は、後述する信号伝送部と信号変換部と操作入力部とを制御する。子機２２、２３、または２４は、それぞれユーザー操作を赤外線通信で入力する対応するリモコン３２、３３、３４を備えている。
【００３２】
子機２２、２３、または２４は、親機２１から離れた位置に配置されて使用されることを想定されている。子機２２、２３、または２４は、親機２１と同じ室内空間に配置してもよいが、それぞれ別の区域に相当する異なるゾーンに配置してもよい。図１に示すように、本実施例の場合には、ＡＶアンプ１０および親機２１と、ワイヤレスオプション装置２０の子機２２とは、メインゾーン（Main Zone）に配置されている。一方で、ワイヤレスオプション装置２０の子機２３は、メインゾーンとは異なる場所であるゾーン２（Zone 2）に配置されている。また、ワイヤレスオプション装置２０の子機２４は、メインゾーン並びゾーン２にとは異なる場所であるゾーン３（Zone 3）に配置されている。
【００３３】
したがって、この映像音声再生システム１は、ＡＶアンプ１０が設置されるメインゾーンにワイヤレスオプション装置２０の子機２２を介して音声再生するだけでなく、他のゾーン２またはゾーン３に設置されるワイヤレスオプション装置２０の子機２３または２４を介して、音声再生が可能である。メインゾーンと、ゾーン２またはゾーン３には、同一の音声ソースを再生してもよく、また、異なる音声ソースを再生してもよい。さらに、メインゾーンの子機２２からだけでなく、他のゾーン２の子機２３またはゾーン３の子機２４からメインゾーンに位置するＡＶアンプ１０を操作することができる。
【００３４】
なお、ワイヤレスオプション装置２０の子機は、３つの場合に限らず、上記一つの親機と複数Ｎの子機とが無線接続するものであってよい。また、本実施例の親機２１の音声信号通信部は、音声信号を信号伝送部に対して入出力している回路に相当するが、ワイヤレスオプション装置２０が映像信号を無線伝送する場合には、映像信号を取り扱ってもよい。
【００３５】
ワイヤレスオプション装置２０の子機の信号変換部は、信号伝送部と接続して映像信号および／または音声信号を映像および／または音声に変換する機能を有していればよく、本実施例の場合には、音声信号を音声に変換するＤ／Ａ変換器、増幅器、スピーカーを含んでいる。場合によっては、信号変換部は、音声を音声信号に変換するマイクロホン、Ａ／Ｄ変換器を含んでいてもよく、また、映像信号を映像に変換するビデオ回路、ディスプレイ回路を含んでいてもよい。
【００３６】
図２は、本発明の好ましい実施形態による映像音声再生システム１について説明するブロック図および表である。具体的には、図２（ａ）のブロック図は、ＡＶアンプ１０の入出力信号端子組と、これらに対応する再生ゾーン並びに無線信号送受信装置の無線伝送チャンネルと、を説明する図であり、図１のブロック図の一部の構成（メインゾーンおよびゾーン２）に対応させて記載している。なお、ゾーン３に配置される子機２４については、図示ならびに説明を省略する。
【００３７】
また、図２（ｂ）〜図２（ｄ）は、ＡＶアンプ１０、ワイヤレスオプション装置２０の親機２１および子機２２、２３、または２４のそれぞれの制御部を構成するＣＰＵで参照する情報のテーブルである。具体的には、図２（ｂ）は、ＡＶアンプ１０が音声再生するゾーン並びにワイヤレスオプション装置２０の無線伝送チャンネルを記憶する掛かり付け情報のテーブルである。図２（ｃ）は、無線伝送チャンネル並びに子機２２、２３、または２４の個別識別番号を記憶する親機接続情報のテーブルである。図２（ｄ）は、ＡＶアンプ１０が音声再生するゾーン毎に対応させたワイヤレスオプション装置２０のリモコンコードの変換表のテーブルである。
【００３８】
図２（ａ）に示すように、例えば、映像音声再生システム１では、ＡＶアンプ１０の端子１１とワイヤレスオプション装置２０の親機２０の端子２５とを接続して、ＡＶアンプ１０のオプションユニットの入力端子である入力PORT INに子機２２の信号伝送部から無線電送チャンネルCH1にのせて伝送された音声信号を入力する。したがって、ＡＶアンプ１０の音声信号入出力部に子機２２からの音声信号を入力することができる。
【００３９】
また、ＡＶアンプ１０の音声信号入出力部は、REC OUTまたはZONE2 OUTといった音声信号の出力端子の組から出力される音声信号を、ワイヤレスオプション装置２０の親機２０の信号伝送部から無線電送チャンネルCH2にのせてワイヤレスオプション装置２０の子機に伝送することができる。同様に、ＡＶアンプ１０の音声信号入出力部は、マルチチャンネルサラウンド信号の後方信号を出力する端子であるSURROUND BACK （SURRBK）OUTまたはZONE3 OUTといった出力端子の組からの音声信号を、ワイヤレスオプション装置２０の親機２０の信号伝送部から無線電送チャンネルCH3にのせてワイヤレスオプション装置２０の子機に伝送することができる。
【００４０】
このとき、ワイヤレスオプション装置２０のメインゾーンに配置される子機２２に入力されるリモコン３２からの操作イベントは、リモコン信号として親機２１に伝送され、親機２１を介してアンプ１０の制御部に伝送される。同様に、ゾーン２に配置される子機２３に入力されるリモコン３３からの操作イベントは、リモコン信号として親機２１に伝送され、親機２１を介してＡＶアンプ１０の制御部に伝送される。ＡＶアンプ１０の制御部は、ワイヤレスオプション装置２０の親機−子機間でのリモコンコード信号を知らないので、メインゾーンならびにゾーン２で異なる適切な制御を達成するには、親機２１の制御部は、ＡＶアンプ１０の制御部と、それぞれ子機２２ならびに子機２３の制御部とに、制御信号（リモコン信号）を制御信号変換部で変換して、通信又は伝送する必要がある。ＡＶアンプ１０とワイヤレスオプション装置２０との間の制御信号は、各ゾーンに対応するのに別々の制御信号に区別されているからである。
【００４１】
そこで、ＡＶアンプ１０の制御部は、図２（ａ）および図２（ｂ）に示すように、それぞれの入出力信号端子組に対応する再生ゾーン並びにワイヤレスオプション装置２０の無線伝送チャンネルを記憶する掛かり付け情報を記憶している。この掛かり付け情報は、後述するようにワイヤレスオプション装置２０の親機２１に送信される。この掛かり付け情報は、ＡＶアンプ１０の種類、形式等によって異なるように設定される。図２に図示する場合には、ZONE3出力に対応するのが無線伝送チャンネルCH3になっているが、仮にZONE3出力を備えずにSURRBK出力から音声信号を出力するようなＡＶアンプ１０であれば、メインゾーンへの音声出力であるSURRBK出力と無線伝送チャンネルCH3とを対応づけるように掛かり付け情報を記憶してもよい。
【００４２】
また、ワイヤレスオプション装置２０の親機２１の制御部は、図２（ｃ）に示すように、入出力信号端子組に対応する無線伝送チャンネル並びに子機２２、２３、または２４の個別識別番号を記憶する親機接続情報を記憶している。さらに、親機２１の制御信号変換部は、図２（ｄ）に示すような操作イベント−リモコンコード変換表を記憶している。制御信号変換部は、掛かり付け情報並びに親機接続情報を参照して無線伝送チャンネルに含まれる子機からの制御信号を変換して制御信号通信部に出力する。ワイヤレスオプション装置２０の親機２１では、信号伝送部は、入出力信号端子組に対応する無線伝送チャンネル並びに子機装置の個別識別番号を記憶する親機接続情報に基づいて子機装置との間でそれぞれ無線伝送する。また、制御信号通信部は、ＡＶアンプ１０と掛かり付け情報を含む制御信号を通信する。
【００４３】
図３および図４は、映像音声再生システム１の制御動作を説明するフローチャートである。具体的には、図３は、ＡＶアンプ１０とワイヤレスオプション装置２０との接続に伴う初期状態の設定の動作を説明する。また、図４は、ワイヤレスオプション装置２０の子機２２に対するリモコン操作に伴うＡＶアンプ１０とワイヤレスオプション装置２０の親機２１並びに子機２２のそれぞれの制御部の動作制御を説明する。
【００４４】
ＡＶアンプ１０にワイヤレスオプション装置２０の親機２１が接続されると（Ｓ１０１、Ｓ１１１）、ＡＶアンプ１０の制御部は、制御信号通信部を介して記憶している掛かり付け情報を親機２１に送信する（Ｓ１０２）。ワイヤレスオプション装置２０の親機２１の制御部は、制御信号通信部を介して送信された掛かり付け情報を受信して記憶し（Ｓ１１２）、掛かり付け情報の設定動作を終了する（Ｓ１０３、Ｓ１１３）。つまり、ＡＶアンプ１０は、ワイヤレスオプション装置２０の親機２１が接続されたときに、自身の入出力端子の組に対応するゾーンの設定と親機２１のチャンネルとの関係を、制御信号の通信によりワイヤレスオプション装置２０の親機２１に伝える。
【００４５】
次に、ワイヤレスオプション装置２０の親機２１および子機２２は、お互いに無線接続を開始する（Ｓ１１４、Ｓ１２１）。子機２２の制御部は、信号伝送部を介して接続する親機２１のチャンネル番号を親機２１に送信する（Ｓ１２２）。親機２１の制御部は、信号伝送部を介して受信した制御信号から、子機２２が接続したい自身のチャンネル番号を受信し（Ｓ１１５）、親機接続情報を更新して（Ｓ１１６）、親機接続情報の更新動作を終了する（Ｓ１１７、Ｓ１２３）。したがって、この映像音声再生システム１において、ワイヤレスオプション装置２０の子機２２から、ＡＶアンプ１０をリモコン３２で遠隔制御することができるようになる。
【００４６】
ＡＶアンプ１０並びにワイヤレスオプション装置２０の親機２１および子機２２のそれぞれの制御部の動作を、図４のフローチャートを参照して説明する。ワイヤレスオプション装置２０の子機２２からリモコン操作が開始された場合（Ｓ２０１、Ｓ２１１、Ｓ２２１）には、例えば、ユーザーがリモコン３２のＶｏｌｕｍｅＵＰボタンを押すと（Ｓ２２２）、子機２２の操作入力部がリモコン３２から送信された赤外線信号をＶｏｌｕｍｅＵＰイベントコードとして受信する（Ｓ２２３）。子機２２の制御部は、ワイヤレスオプション装置２０の親機２１に信号伝送部を介してＶｏｌｕｍｅＵＰイベントコードを無線送信する（Ｓ２２４）。
【００４７】
親機２１の制御部が信号伝送部を介してＶｏｌｕｍｅＵＰイベントコードを受信すると（Ｓ２１２）、事前に得ている掛かり付け情報並びに親機接続情報を参照して、子機２２が接続しているチャンネル番号がメインゾーン／ゾーン２／ゾーン３のどれに該当するのかを確認する（Ｓ２１３）。そして、制御信号変換部が、記憶している操作イベント−リモコンコード変換表を参照して、該当するゾーンのＶｏｌｕｍｅＵＰイベントのリモコンコードを求めるので（Ｓ２１４）、親機２１の制御部は、制御信号通信部を介してＡＶアンプ１０にそのリモコンコードを送信する（Ｓ２１５）。
【００４８】
ＡＶアンプ１０の制御部は、制御信号通信部を介して親機２１からのリモコンコードを受信する（Ｓ２０２）と、該当するゾーンの音量を制御するボリュームを上げる動作を行い（Ｓ２０３）、リモコン３２による遠隔制御を終了する（Ｓ２０４、Ｓ２１６、Ｓ２２５）。上記実施例の場合には、メインゾーンに配置されるワイヤレスオプション装置２０の子機２２のリモコン３２を操作したので、メインゾーンに再生される音声の音量を上げることができる。子機２２が、ボタン、スイッチ等を含む操作入力部を備えていれば、子機２２に対するユーザー操作を同様にＡＶアンプ１０の動作に反映させることができる。
【００４９】
また、ゾーン２またはゾーン３に配置されるワイヤレスオプション装置２０の子機２３または２４のリモコン３３または３４を個別に操作した場合には、それぞれのゾーン２またはゾーン３に再生される音声の音量を個別に上げることができるのは、言うまでもない。親機２１の制御信号変換部が、異なる再生ゾーン毎に複数の操作入力または遠隔操作入力に応じて異なる制御信号を算出することができるからである。つまり、この映像音声再生システム１では、それぞれの再生ゾーンに位置するワイヤレスオプション装置２０の子機２２〜２４への操作入力または遠隔操作入力により、それぞれの子機２２〜２４での映像音声再生を制御可能にして、かつ、他の再生ゾーンの子機装置に操作入力または遠隔操作入力を反映させないようにすることができる。
【００５０】
ＡＶアンプ１０に接続して映像音声再生システム１を構成するワイヤレスオプション装置２０は、一つの機種で異なるＡＶアンプ１０の種類、機種、形式に対応するのが好ましい。本実施例のように、掛かり付け情報を、ＡＶアンプ１０の種類、形式等に対応して異なるように設定することが可能になれば、複数のＡＶアンプ１０に対応可能な共通のオプションユニットとして設計することができるという利点がある。
【００５１】
なお、本実施例の場合には、親機２１の制御信号変換部が、記憶された操作イベント−リモコンコード変換表を参照しているが、このような変換テーブルを備えていなくても適切に制御信号を算出する方法であれば、他の方法を採用してもよい。また、この映像音声再生システム１を制御する何れかの制御部が、実質的に上記の掛かり付け情報並びに親機接続情報を記憶し、伝送して制御信号を算出するものであれば、採用可能な他の方法に基づいていてもよい。
【００５２】
また、上記のＡＶアンプ１０のオプションユニット２０は、ＡＶアンプ１０に対して有線接続により外付けされるモジュールであるが、ＡＶアンプ１０と無線接続が可能なモジュールであってもよい。もちろん、ＡＶアンプ１０が、オプションユニット２０の親機２１を内蔵して一体に構成されていてもよい。
【産業上の利用可能性】
【００５３】
本発明の制映像音声再生システム、映像音声信号再生装置および無線信号送受信装置は、デジタル音声信号含むコンテンツを再生するステレオ装置、あるいは、マルチチャンネルサラウンド音声再生装置のみならず、ディスプレイ等の映像・音響機器、等にも適用が可能である。
【符号の説明】
【００５４】
１        映像音声再生システム
１０      ＡＶアンプ
２０      ワイヤレスオプション装置
２１      親機
２２、２３、２４      子機
３２、３３、３４      リモコン
【図１】
2016076898.tif 000003
【図２】
2016076898.tif 000004
【図３】
2016076898.tif 000005
【図４】
2016076898.tif 000006